(57)【特許請求の範囲】
【請求項１】
文字又は記号の表示を更新可能な入力キーが配置された操作部を有する本体部と、
前記本体部と連結され、前記操作部を二方向に開閉可能な蓋部と、
前記蓋部が開かれたときに前記操作部と略並ぶように該蓋部に設けられた表示画面と、
前記入力キーに割り当てる文字又は記号と、該文字又は記号の配置方向とが対応付けられたキー情報を記憶する記憶手段と、
前記蓋部が開く方向を検知する検知手段と、
前記検知手段により検知された方向に基づいて、前記入力キーに割り当てる文字又は記号の配置方向を決定する決定手段と、
前記決定手段により前回決定された前記配置方向と前記決定手段により今回新たに決定された前記配置方向とを比較し、双方の配置方向が一致しない場合には、前記決定手段により今回新たに決定された配置方向に対応するキー情報を前記記憶手段から読み出し、読み出されたキー情報で示される文字又は記号を前記入力キーに該配置方向に割り当てることで文字又は記号の表示を更新し、双方の配置方向が一致する場合には、前記記憶手段から前記キー情報を読み出すことなく前記入力キーの文字又は記号の表示をそのまま維持する割当手段と、
を備えることを特徴とする携帯端末装置。
【請求項２】
前記決定手段が、前記検知手段により検知された方向に基づいて、前記入力キーに割り当てる文字又は記号の上方向に前記表示画面が位置するように該文字又は記号の配置方向を決定する、
ことを特徴とする請求項１に記載の携帯端末装置。
【請求項３】
文字又は記号の表示を更新可能な入力キーが配置された操作部を有する本体部と、前記本体部と連結され、前記操作部を二方向に開閉可能な蓋部と、前記蓋部が開かれたときに前記操作部と略並ぶように該蓋部に設けられた表示画面とを備える携帯端末装置におけるキー配置方法であって、
前記入力キーに割り当てる文字又は記号と、該文字又は記号の配置方向とが対応付けられたキー情報を記憶する記憶ステップと、
前記蓋部が開く方向を検知する検知ステップと、
前記検知ステップにおいて検知された方向に基づいて、前記入力キーに割り当てる文字又は記号の配置方向を決定する決定ステップと、
前記決定ステップにおいて前回決定された前記配置方向と前記決定ステップにおいて今回新たに決定された前記配置方向とを比較し、双方の配置方向が一致しない場合には、前記記憶ステップにおいて記憶された、前記決定ステップにおいて今回新たに決定された配置方向に対応するキー情報を読み出し、読み出されたキー情報で示される文字又は記号を前記入力キーに該配置方向に割り当てることで文字又は記号の表示を更新し、双方の配置方向が一致する場合には、前記記憶ステップにおいて記憶された前記キー情報を読み出すことなく前記入力キーの文字又は記号の表示をそのまま維持する割当ステップと、
を含むことを特徴とするキー配置方法。
【発明の詳細な説明】
【技術分野】
【０００１】
本発明は、入力キーへの文字又は記号の割当て及び表示を制御する携帯端末装置及びキー配置方法に関するものである。
【背景技術】
【０００２】
従来から、使用時の携帯端末の方向に基づいて入力キーに描画される文字や記号を変更する手法が知られている。例えば、下記特許文献１には、表示部を縦向きに使用する場合でも横向きに使用する場合（９０°回転させた場合）でも数字キー１〜９の位置関係が常に同じになる携帯端末装置が記載されている。この携帯端末装置は、ユーザによる表示向きの選択を受け付けるか、又は自機の姿勢を検出すると、予め記憶されているキー割当てに関するデータと、その選択又は検出結果とに基づいて数字キーの表示を制御する。
【特許文献１】特開２００５−１２４９３号公報
【発明の開示】
【発明が解決しようとする課題】
【０００３】
しかしながら、上記特許文献１に記載の携帯端末装置は、９０°回転させると表示部とキー入力部とが横に並ぶ状態となり、ユーザインタフェースの観点から見ると必ずしもユーザの嗜好やアプリケーションの利用形態に合致する配置とはいえない。そのため、携帯端末装置の操作性が低下するおそれがある。
【０００４】
本発明は、上記課題を解決するためになされたものであり、操作性を向上させることが可能な携帯端末装置及びキー配置方法を提供することを目的とする。
【課題を解決するための手段】
【０００５】
本発明の携帯端末装置は、文字又は記号の表示を更新可能な入力キーが配置された操作部を有する本体部と、本体部と連結され、操作部を二方向に開閉可能な蓋部と、蓋部が開かれたときに操作部と略並ぶように該蓋部に設けられた表示画面と、入力キーに割り当てる文字又は記号と、該文字又は記号の配置方向とが対応付けられたキー情報を記憶する記憶手段と、蓋部が開く方向を検知する検知手段と、検知手段により検知された方向に基づいて、入力キーに割り当てる文字又は記号の配置方向を決定する決定手段と、決定手段により決定された配置方向に対応するキー情報を記憶手段から読み出し、読み出されたキー情報で示される文字又は記号を入力キーに該配置方向に割り当てることで文字又は記号の表示を更新する割当手段と、を備えることを特徴とする。
【０００６】
また、本発明のキー配置方法は、文字又は記号の表示を更新可能な入力キーが配置された操作部を有する本体部と、本体部と連結され、操作部を二方向に開閉可能な蓋部と、蓋部が開かれたときに操作部と略並ぶように該蓋部に設けられた表示画面とを備える携帯端末装置におけるキー配置方法であって、入力キーに割り当てる文字又は記号と、該文字又は記号の配置方向とが対応付けられたキー情報を記憶する記憶ステップと、蓋部が開く方向を検知する検知ステップと、検知ステップにおいて検知された方向に基づいて、入力キーに割り当てる文字又は記号の配置方向を決定する決定ステップと、記憶ステップにおいて記憶された、決定ステップにおいて決定された配置方向に対応するキー情報を読み出し、読み出されたキー情報で示される文字又は記号を入力キーに該配置方向に割り当てることで文字又は記号の表示を更新する割当ステップと、を含むことを特徴とする。
【０００７】
このような携帯端末装置及びキー配置方法によれば、二方向に開閉可能な蓋部の開方向が検知されると、その開方向に基づいて、入力キーに割り当てる文字又は記号（以下では「文字等」ともいう）の配置方向が決定される。続いて、決定された配置方向に対応するキー情報に基づいて、入力キーに文字等が割り当てられ表示される。このように、操作と密接に関連する蓋部の開方向に基づいて入力キーに文字等を表示することで、携帯端末装置の操作性を向上させることが可能になる。
【０００８】
本発明の携帯端末装置では、決定手段が、検知手段により検知された方向に基づいて、入力キーに割り当てる文字又は記号の上方向に表示画面が位置するように該文字又は記号の配置方向を決定することが好ましい。
【０００９】
この場合、割り当てられる文字等の上方向に表示画面が位置するように、すなわち、ユーザが携帯端末装置を操作する際に操作部の上方に表示画面が位置するように、入力キー文字等の配置方向が決定される。これにより、携帯端末装置のユーザは、蓋部の開方向に関係なく、下方に操作部が位置し上方に表示画面が位置した状態で携帯端末装置を使用できる。これは、ユーザに対して、操作部の上方に表示画面が位置する一般的な情報処理装置と同様の操作環境を常に提供可能であることを意味する。その結果、携帯端末装置の操作性を向上させることが可能になる。
【発明の効果】
【００１０】
このような携帯端末装置及びキー配置方法によれば、蓋部の開方向に基づいて入力キーに割り当てる文字等の配置方向が決定され、その配置方向に基づいて文字等の割当て及び表示が実行されるので、携帯端末装置の操作性を向上させることができる。
【発明を実施するための最良の形態】
【００１１】
以下、添付図面を参照しながら本発明の実施形態を詳細に説明する。なお、図面の説明において同一又は同等の要素には同一の符号を付し、重複する説明を省略する。
【００１２】
まず、図１を用いて、第１実施形態に係る携帯電話機（携帯端末装置）１の構造を説明する。図１〜３は携帯電話機１の斜視図である。図４は図１に示す本体部１０の斜視図である。
【００１３】
携帯電話機１は、直方体形状の本体部１０と、その本体部とほぼ同じ形状の蓋部１１とを備えている。本体部１０と蓋部１１とは、本体部１０の短辺に沿って延びるヒンジ１２と、本体部１０の長辺に沿って延びるヒンジ１３とにより結合されている。ただし、ヒンジ１３はヒンジ１２よりも短い。
【００１４】
図４に示すように、本体部１０の上面にはキーパッド（操作部）１４が配置されている。キーパッド１４は複数の入力キー１５で構成されている。各入力キー１５は、物理的に突起しているボタンであり、その上面には電子ペーパーで構成される薄型（例えば厚さが０．２〜０．８ｍｍ）の表示用ディスプレイが設けられている。入力キー１５の上面が電子ペーパーであるので、キーに表示される文字等を変更（更新）することが可能である。なお、入力キーの配置（キーの個数や形状、位置など）は図４に示されるものに限定されず、様々な変形が可能である。
【００１５】
蓋部１１は、ヒンジ１２又はヒンジ１３を軸に回転可能であり、これによりキーパッド１４を開閉できる。この蓋部１１は文字や画像などを表示する液晶画面１６を備えている。図１は蓋部１１がキーパッド１４の全体を覆うように閉じている状態を示しており、このときキーパッド１４と液晶画面１６とは対向している。以下では、この状態を「閉状態」という。
【００１６】
図２は蓋部１１がヒンジ１２を軸に回転してキーパッド１４を開けた状態を示しており、このときキーパッド１４と液晶画面１６とは本体部１０の略長辺方向に沿って並んでいる。以下では、この状態を「縦方向開状態」という。閉状態から縦方向開状態になるとき、及び縦方向開状態から閉状態になるときには、ヒンジ１３は蓋部１１と共にヒンジ１２を軸に回転する。図３は蓋部１１がヒンジ１３を軸にして回転してキーパッド１４を開けた状態を示しており、このときキーパッド１４と液晶画面１６とは本体部１０の略短辺方向に沿って並んでいる。以下では、この状態を「横方向開状態」という。図２及び３から分かるように、液晶画面１６は蓋部１１が開かれたときにキーパッド１４と略並ぶように蓋部１１に設けられている。
【００１７】
次に、図５〜９を用いて携帯電話機１の機能構成を説明する。図５は、携帯電話機１の機能構成を示す図である。図６は入力キー１５の識別を示す図である。図７はキー情報の例を示す図である。図８は図７に対応するキー配列を示す図である。図９は蓋部１１が縦方向に開く様子を示す図である。
【００１８】
携帯電話機１は、機能的構成要素として記憶部（記憶手段）１０１、第１検知スイッチ（検知手段）１０２、第２検知スイッチ（検知手段）１０３、決定部（決定手段）１０４、表示制御部（割当手段）１０５を備えている。なお、以下では入力キー１５（キーパッド１４）についても機能的構成要素の一つとして説明する。
【００１９】
記憶部１０１は、入力キー１５に割り当てて表示する文字又は記号と、その文字又は記号の配置方向とを示すキー情報を記憶する手段である。キー情報は、配置方向と、入力キーを識別するキーＩＤと、その入力キーに表示する文字等を示す表示内容とが互いに対応付けられた情報である。なお、入力キーとキーＩＤとは図６に示すように対応しているものとする。
【００２０】
図７（ａ），（ｂ）に示すキー情報は、それぞれ、配置方向「縦方向」、「横方向」についてのものであり、いずれも、キーＩＤ「０１〜３５」のそれぞれについて表示内容（文字及び記号）が定義されている。なお、例えば、配置方向「縦方向」且つキーＩＤ「２０」のキー情報のように表示内容を設定しなくてもよい。
【００２１】
配置方向が縦であるとは、蓋部１１が縦方向（携帯電話機１の長辺に沿った方向）に開いて携帯電話機１が縦方向開状態になった場合に、入力キーに表示される文字等の上方向に液晶画面１６が位置するように文字等が表示されることを意味する。これに対して、配置方向が横であるとは、蓋部１１が横方向（携帯電話機１の短辺に沿った方向）に開いて携帯電話機が横方向開状態になった場合に、入力キーに表示される文字等の上方向に液晶画面１６が位置するように文字等が表示されることを意味する。
【００２２】
図８は図７に示したキー情報に基づくキーパッド１４上のキー配列である。図８（ａ）のキー配列は図７（ａ）のキー情報に対応するものであり、十字キー及び数字キーを含んでいる。これに対して、図８（ｂ）のキー配列は、図７（ｂ）のキー情報に対応する、いわゆるＱＷＥＲＴＹ配列である。
【００２３】
第１検知スイッチ１０２及び第２検知スイッチ１０３は、蓋部１１が開く方向を検知する手段である。第１検知スイッチ１０２はヒンジ１２に、第２検知スイッチ１０３はヒンジ１３に、それぞれ組み込まれている。
【００２４】
第１検知スイッチ１０２は、蓋部１１がヒンジ１２を軸に回転して本体部１０と蓋部１１との角度が所定の角度ａ（度）以上になった場合に（図９参照）蓋部１１が縦方向に開いたこと（携帯電話機１が縦方向開状態になったこと）を検知し、その検知結果を示す第１検知信号を決定部１０４に出力する。
【００２５】
一方、第２検知スイッチ１０３は、蓋部１１がヒンジ１３を軸に回転して本体部１０と蓋部１１との角度が所定の角度ｂ（度）以上になった場合に蓋部１１が横方向に開いたこと（携帯電話機１が横方向開状態になったこと）を検知し、その検知結果を示す第２検知信号を生成して決定部１０４に出力する。なお、第１検知スイッチ１０２及び第２検知スイッチ１０３に対して設定される角度ａ及びｂは任意に設定してよい。
【００２６】
決定部１０４は、第１検知スイッチ１０２又は第２検知スイッチ１０３により検知された方向に基づいて、入力キー１５に割り当てる文字等の上方向に液晶画面１６が位置するように文字等の配置方向を決定する手段である。具体的には、決定部１０４は、第１検知スイッチ１０２から第１検知信号が入力された場合には配置方向を「縦方向」と決定し、第２検知スイッチ１０３から第２検知信号が入力された場合には配置方向を「横方向」と決定する。続いて、決定部１０４は決定した配置方向を示す配置方向信号を生成して表示制御部１０５に出力する。
【００２７】
表示制御部１０５は、決定部１０４により決定された配置方向に対応するキー情報を記憶部１０１から読み出し、読み出されたキー情報で示される文字又は記号を入力キーに該配置方向に割り当てることで文字又は記号の表示を更新する手段である。
【００２８】
表示制御部１０５は前回入力された配置方向信号で示される配置方向を記憶している。その後に新たな配置方向信号が入力されると、表示制御部１０５は、前回の配置方向と新たに入力された配置方向信号で示される配置方向とが一致するか否かを判定する。
【００２９】
このとき、これらの配置信号が相違していれば、表示制御部１０５は新たに入力された配置方向信号に基づいて、その信号で示される配置方向のキー情報を読み出す。例えば、配置方向信号が「横方向」を示している場合には、表示制御部１０５は図７（ｂ）で示されるキー情報を読み出す。続いて、表示制御部１０５は読み出されたキー情報に基づいてキーパッド１４内の各入力キー１５に割り当てる文字等を更新し、各入力キー１５の表示を更新する。これに対して、前回の配置方向と今回の配置方向とが一致する場合には、表示制御部１０５は各入力キー１５に対する文字等の割当て及び表示をそのまま継続する。
【００３０】
次に、図１０を用いて、図１に示す携帯電話機１の処理を説明するとともに本実施形態に係るキー配置方法について説明する。図１０は、携帯電話機１の処理を示すフローチャートである。なお、記憶部１０１には予めキー情報が記憶されている（記憶ステップ）。
【００３１】
図１０における開始の時点では携帯電話機１が図１に示すように閉状態であるとする。このときにユーザが蓋部１１を開くと、第１検知スイッチ１０２及び第２検知スイッチ１０３のどちらか一方がその状態を検知し、その検知結果に基づいて決定部１０４が入力キー１５に配置及び表示する文字等の配置方向を決定する。
【００３２】
具体的には、蓋部１１が縦方向にａ（度）以上開くと第１検知スイッチ１０２がその現象を検知し（ステップＳ１１；ＹＥＳ、検知ステップ）、この検知結果に基づいて決定部１０４が配置方向を「縦方向」と決定する（ステップＳ１２、決定ステップ）。一方、蓋部１１が横方向にｂ（度）以上開いた場合には、第２検知スイッチ１０３がその現象を検知し（ステップＳ１３；ＹＥＳ、検知ステップ）、この検知結果に基づいて決定部１０４が配置方向を「横方向」と決定する（ステップＳ１４、決定ステップ）。なお、いずれの検知スイッチも蓋部１１が開いたことを検知しなければ（ステップＳ１３；ＮＯ）、ステップＳ１１及びＳ１２の処理が繰り返し実行される。
【００３３】
続いて、表示制御部１０５が決定された配置方向に基づいて入力キーへの文字等の割当て及び表示を実行する。まず、表示制御部１０５は、予め記憶している前回の配置方向と、決定部１０４から入力された配置方向信号で示される配置方向（今回の配置方向）とが一致するか否かを判定する（ステップＳ１５）。ここで、これらの配置方向が一致すれば（ステップＳ１５；ＹＥＳ）、表示制御部１０５は入力キー１５への文字等の割当て及び表示をそのまま維持する（ステップＳ１６、割当ステップ）。これに対して、前回の配置方向と今回の配置方向とが異なる場合には（ステップＳ１５；ＮＯ）、表示制御部１０５が今回の配置方向に対応するキー情報を記憶部１０１から読み出し（ステップＳ１７、割当ステップ）、読み出したキー上に基づいて入力キーへの文字等の割当て及び表示を更新する（ステップＳ１８、割当ステップ）。
【００３４】
このような処理により、ユーザが片手で操作することが多い縦方向開状態においては、数字キーや十字キーがキーパッド１４上に表示され、ユーザが両手で操作することが多い横方向開状態においては、ＱＷＥＲＴＹ配列がキーパッド１４上に表示される。
【００３５】
以上説明したように、本実施形態によれば、ユーザは、蓋部１１の開方向に関係なく、下方にキーパッド１４が位置し上方に液晶画面１６が位置した状態で携帯電話機１を使用できる。これは、ユーザに対して、キーパッドやキーボードなどの上方に表示画面が位置する一般的な情報処理装置（例えばパーソナルコンピュータなど）と同様の操作環境を常に提供可能であることを意味する。その結果、携帯電話機１の操作性をより向上させることが可能になる。ユーザは自身の嗜好や利用場面に応じてストレス無く携帯電話機１を利用できる。
【００３６】
以上、本発明をその実施形態に基づいて詳細に説明した。しかし、本発明は上記実施形態に限定されるものではない。本発明は、その要旨を逸脱しない範囲で以下のような様々な変形が可能である。
【００３７】
本発明は、折畳み型の携帯電話機１とは異なる構造を有する携帯端末装置にも適用可能である。例えば、図１１〜１６に示すようなスライド型の携帯電話機２に本発明を適用できる。図１１〜１３は携帯電話機２の斜視図である。図１４は携帯電話機２の分解斜視図である。図１５（ａ）〜（ｃ）は各突起、溝、穴の位置関係を示す平面図である。図１６は図１３に示す携帯電話機２を背面から見た場合の斜視図である。
【００３８】
携帯電話機２は、直方体形状の本体部２０と、その本体部とほぼ同じ形状の蓋部２１とを備えている。本体部２０の上面には、携帯電話機１の場合と同様の構造を有するキーパッド（操作部）２２及び入力キー２３が配置されている。一方、蓋部２１の上面には液晶画面２４が配置されている。
【００３９】
本体部２０と蓋部２１とは、キーパッド２２と蓋部２１の下面とが対向するように重ね合わされ、スライド可能なように結合されている。図１１は蓋部２１がキーパッド２２の全体を覆うように閉じている状態（閉状態）を示している。これに対して、図１２は蓋部１１が本体部２０の長辺方向にスライドしてキーパッド２２を開けた状態（縦方向開状態）を示している。また、図１３は蓋部２１が本体部２０の短辺方向にスライドしてキーパッド２２を開けた状態（横方向開状態）を示している。図１２及び１３から分かるように、液晶画面２４は蓋部２１が開かれたときにキーパッド２２と略並ぶように蓋部２１に設けられている。
【００４０】
蓋部２１を本体部２０に対してスライド可能とするために、携帯電話機２は、第１突起２５と、磁性体からなる第２突起２６，２７と、底部が磁石で形成されている略Ｌ字状の溝２８と、穴２９とを備えている（図１４参照）。
【００４１】
第１突起２５は、本体部２０の上面の一隅に設けられている。第２突起２６は、本体部２０の短辺方向に沿って第１突起２５と並ぶように、本体部２０の上面の一隅に設けられている。第２突起２７は本体部２０の長辺方向に沿って第１突起２５と並ぶように、本体部２０の上面の一隅に設けられている。したがって、第２突起２６及び２７は、本体部２０の上面の対角線上で互いに対向するように設けられていることになる。第２突起２６，２７は、蓋部２１がスライド中のときは本体部２０内に入り込んだ状態になり、溝２８又は穴２９と対向すると磁力により本体部２０から突き出る状態になる。溝２８は、蓋部２１の下面の一短辺及び一長辺に沿って延びている。穴２９は、蓋部２１の下面の対角線上で溝２８の屈曲部と対向するように該下面の隅に形成されている。
【００４２】
携帯電話機２が閉状態であるとき、第１突起２５は溝２８の屈曲部に入り込んだ状態になり、第２突起２６は溝２８の短辺部分の端部に入り込んだ状態になり、第２突起２７は溝２８の長辺部分の端部に入り込んだ状態になる（図１５（ａ）参照）。携帯電話機２が縦方向開状態であるとき、第１突起２５は溝２８の長辺部分の端部に入り込んだ状態になり、第２突起２６は穴２９に入り込んだ状態になり、第２突起２７は本体部２０の上面から突出した状態になる（図１５（ｂ）参照）。携帯電話機２が横方向開状態であるとき、第１突起２５は溝２８の短辺部分の端部に入り込んだ状態になり、第２突起２６は本体部２０の上面から突出した状態になり、第２突起２７は穴２９に入り込んだ状態になる（図１５（ｃ）参照）。
【００４３】
蓋部２１の下面には、図１６に示すように、第１検知スイッチ２０２及び第２検知スイッチ２０３が設けられている。第１検知スイッチ２０２は蓋部２１の長辺付近に配置され、第２検知スイッチ２０３は短辺付近に配置されている。
【００４４】
図１７は図１１に示す携帯電話機２の機能構成を示す図である。携帯電話機２は、機能的構成要素として記憶部（記憶手段）２０１、第１検知スイッチ（検知手段）２０２、第２検知スイッチ（検知手段）２０３、決定部（決定手段）２０４、表示制御部（割当手段）２０５を備えている。また、入力キー２３（キーパッド２２）も携帯電話機２の機能的構成要素である。記憶部２０１、決定部２０４、表示制御部２０５及び入力キー２３の各機能は携帯電話機１の記憶部１０１、決定部１０４、表示制御部１０５及び入力キー１５のものと同様であるので説明を省略し、以下では、第１検知スイッチ２０２及び第２検知スイッチ２０３の機能のみを説明する。
【００４５】
第１検知スイッチ２０２は、蓋部２１が本体部２０の長辺に沿ってｘ（ｃｍ）スライドした場合に蓋部２１が本体部２０の長辺に沿ってスライドしたこと（携帯電話機２が縦方向開状態になったこと）を検知し、その検知結果を示す第１検知信号を生成して決定部２０４に出力する。一方、第２検知スイッチ２０３は、蓋部２１が本体部２０の短辺に沿ってｙ（ｃｍ）スライドしたこと（携帯電話機２が横方向開状態になったこと）を検知し、その検知結果を示す第２検知信号を生成して決定部２０４に出力する。携帯電話機２において第１検知信号又は第２検知信号が生成及び出力された後に実行される処理は、携帯電話機１の場合と同様である。
【００４６】
上記実施形態では、決定部１０４が入力キー１５に割り当てる文字等の上方向に液晶画面１６が位置するように文字等の配置方向を決定したが、決定方法はこれに限定されない。例えば、決定部１０４が蓋部１１の開方向と使用するアプリケーションプログラムとに基づいて文字等の配置方向を決定してもよい。
【００４７】
上記実施形態では、本発明を携帯電話機に適用したが、ＰＤＡ（Personal Digital Assistant）などの他の種類の携帯端末装置に本発明を適用してもよい。
【図面の簡単な説明】
【００４８】
【図１】実施形態に係る携帯電話機を模式的に示す斜視図である。
【図２】実施形態に係る携帯電話機を模式的に示す斜視図である。
【図３】実施形態に係る携帯電話機を模式的に示す斜視図である。
【図４】図１に示す本体部の斜視図である。
【図５】図１に示す携帯電話機の機能構成を示す図である。
【図６】図４に示す入力キーの識別を示す図である。
【図７】（ａ），（ｂ）はキー情報の例を示す図である。
【図８】（ａ），（ｂ）は図７に対応するキー配列を示す図である。
【図９】図１に示す蓋部が縦方向に開く様子を示す図である。
【図１０】図１に示す携帯電話機の処理を示すフローチャートである。
【図１１】変形例に係る携帯電話機を模式的に示す斜視図である。
【図１２】変形例に係る携帯電話機を模式的に示す斜視図である。
【図１３】変形例に係る携帯電話機を模式的に示す斜視図である。
【図１４】図１１に示す携帯電話機の分解斜視図である。
【図１５】（ａ）〜（ｃ）は各突起、溝、穴の位置関係を示す平面図である。
【図１６】図１３に示す携帯電話機を背面から見た場合の斜視図である。
【図１７】図１１に示す携帯電話機の機能構成を示す図である。
【符号の説明】
【００４９】
１，２…携帯電話機（携帯端末装置）、１０，２０…本体部、１１，２１…蓋部、１４，２２…キーパッド（操作部）、１５，２３…入力キー、１６，２４…液晶画面（表示画面）、１０１，２０１…記憶部（記憶手段）、１０２，２０２…第１検知スイッチ（検知手段）、１０３，２０３…検知スイッチ（検知手段）、１０４，２０４…決定部（決定手段）、１０５，２０５…表示制御部（割当手段）
【図１】
0004589418.tif 000002
【図２】
0004589418.tif 000003
【図３】
0004589418.tif 000004
【図４】
0004589418.tif 000005
【図５】
0004589418.tif 000006
【図６】
0004589418.tif 000007
【図７】
0004589418.tif 000008
【図８】
0004589418.tif 000009
【図９】
0004589418.tif 000010
【図１０】
0004589418.tif 000011
【図１１】
0004589418.tif 000012
【図１２】
0004589418.tif 000013
【図１３】
0004589418.tif 000014
【図１４】
0004589418.tif 000015
【図１５】
0004589418.tif 000016
【図１６】
0004589418.tif 000017
【図１７】
0004589418.tif 000018